【手続補正書】
【提出日】令和3年10月21日(2021.10.21)
【手続補正１】
【補正対象書類名】特許請求の範囲
【補正対象項目名】全文
【補正方法】変更
【補正の内容】
【特許請求の範囲】
【請求項１】
ディスプレイデバイスであって、
導波管であって、前記導波管は、光を前記導波管の出力表面と平行な側方方向に誘導するように構成され、前記導波管は、前記誘導された光を前記出力表面を通して外部結合するようにさらに構成される、導波管と、
広帯域適応レンズアセンブリであって、前記広帯域適応レンズアセンブリは、それを通して、前記導波管からの前記外部結合された光を内部結合および回折するように構成され、前記広帯域適応レンズアセンブリは、第１の波長板レンズを備え、前記第１の波長板レンズは、液晶（ＬＣ）層を備え、前記液晶（ＬＣ）層は、前記第１の波長板レンズが、前記第１の波長板レンズの中心領域から半径方向外向き方向に変動する複屈折（Δｎ）を有し、９０％を上回る回折効率において少なくとも４５０ｎｍ〜６３０ｎｍを含む波長範囲内の前記外部結合された光を回折するように構成されるように配列される、広帯域適応レンズアセンブリと
を備え、
前記広帯域適応レンズアセンブリは、異なる屈折力を有する複数の状態間で選択的に切り替えられるように構成される、ディスプレイデバイス。
【請求項２】
前記第１の波長板レンズのΔｎは、前記波長範囲内の波長（λ）の増加に伴って増加する、請求項１に記載のディスプレイデバイス。
【請求項３】
前記広帯域適応レンズアセンブリは、複数の液晶層を備え、前記液晶層はそれぞれ、層法線方向に連続的に捻転される液晶分子を備える、請求項１に記載のディスプレイデバイス。
【請求項４】
前記外部結合された光が、偏光を有するとき、前記広帯域適応レンズアセンブリは、少なくとも２つのレンズ状態間で選択的に切り替えられるように構成され、前記少なくとも２つのレンズ状態は、
第１のレンズ状態であって、前記第１のレンズ状態は、第１の屈折力に従って前記導波管からの前記外部結合された光を収束または発散させ、前記外部結合された光の偏光を改変するように構成される、第１のレンズ状態と、
第２のレンズ状態であって、前記第２のレンズ状態は、前記外部結合された光の偏光を改変せずに、第２の屈折力に従って前記導波管からの前記外部結合された光を収束または発散させるように構成される、第２のレンズ状態と
を含む、請求項１−３のいずれかに記載のディスプレイデバイス。
【請求項５】
前記広帯域適応レンズアセンブリは、第２の液晶層を備える第２の波長板レンズと、前記第１の波長板レンズと前記第２の波長板レンズとの間に介在される切替可能な波長板とをさらに備え、前記広帯域適応レンズアセンブリは、前記切替可能な波長板を電気的にアクティブ化および非アクティブ化することによって、前記少なくとも２つの状態間で選択的に切り替えられるように構成される、請求項４に記載のディスプレイデバイス。
【請求項６】
前記切替可能な波長板は、捻転されたネマチック液晶を備え、電気的にアクティブ化することは、前記切替可能な波長板の厚さを横断して、前記捻転されたネマチック液晶の捻転度を改変する、請求項５に記載のディスプレイデバイス。
【請求項７】
前記切替可能な波長板が、アクティブ化されると、前記切替可能な波長板は、それを通して通過する円偏光の掌性を反転させるように構成される半波長板としての役割を果たす一方、前記切替可能な波長板が、非アクティブ化されると、前記切替可能な波長板は、それを通して通過する前記円偏光の掌性を保存するように構成される、請求項５に記載のディスプレイデバイス。
【請求項８】
前記第１および第２の波長板レンズはそれぞれ、それを通して通過する前記円偏光の掌性を反転させるように構成され、前記切替可能な波長板が、アクティブ化されると、前記第１および第２の波長板レンズは、反対符号を有する屈折力を付与する、請求項７に記載のディスプレイデバイス。
【請求項９】
前記第１および第２の波長板レンズはそれぞれ、それを通して通過する前記円偏光の掌性を反転させるように構成され、前記切替可能な波長板が、非アクティブ化されると、前記第１および第２の波長板レンズは、同一符号を有する屈折力を付与する、請求項７に記載のディスプレイデバイス。
【請求項１０】
前記切替可能な波長板が、非アクティブ化されると、前記広帯域適応レンズアセンブリは、前記第１および第２の波長板レンズの屈折力の大きさの和に比例する大きさを有する正味屈折力を有する一方、前記切替可能な波長板が、アクティブ化状態にあると、前記適応レンズアセンブリは、前記第１および第２の波長板レンズの屈折力の大きさ間の差異に比例する大きさを有する正味屈折力を有する、請求項５に記載のディスプレイデバイス。
【請求項１１】
前記第１および第２の波長板レンズは、前記切替可能な波長板が電気的にアクティブ化されると、前記正味屈折力が約ゼロであるように、ほぼ同一の大きさを有する屈折力を有する、請求項１０に記載のディスプレイデバイス。
【請求項１２】
前記第１の波長板レンズは、電気的に切替可能であり、前記広帯域適応レンズアセンブリは、電気的に切替可能である第２の波長板レンズをさらに含み、前記第２の波長板レンズは、第２の液晶（ＬＣ）層を備え、前記第２の液晶（ＬＣ）層は、前記第２の波長板レンズが、前記第２の波長板レンズの中心領域から半径方向外向き方向に変動する複屈折（Δｎ）を有し、９０％を上回る回折効率において前記波長範囲内の前記外部結合された光を回折するように構成されるように配列され、前記広帯域適応レンズアセンブリは、前記第１および第２の波長板レンズの一方または両方を切り替えることによって、前記少なくとも２つの状態間で選択的に切り替えられるように構成される、請求項４に記載のディスプレイデバイス。
【請求項１３】
アクティブ化されると、前記第１および第２の切替可能な波長板はそれぞれ、それを通して通過する円偏光の掌性を反転させるように構成される半波長板としての役割を果たす一方、非アクティブ化されると、前記第１および第２の切替可能な波長板はそれぞれ、それを通して通過する前記円偏光の掌性を保存するように構成される、請求項１２に記載のディスプレイデバイス。
【請求項１４】
前記第１および第２の波長板レンズはそれぞれ、それを通して通過する円偏光が反対偏光を有するとき、反対符号を有する屈折力を有するように構成される、請求項１３に記載のディスプレイデバイス。
【請求項１５】
前記広帯域適応レンズアセンブリは、前記第１および第２の波長板レンズの一方または両方を選択的にアクティブ化することによって、前記外部結合された光の所与の偏光に関して、前記広帯域適応レンズアセンブリが、４つの状態間で選択的に切り替えられるように構成されるように、前記第１および第２の波長板レンズの屈折力の大きさの和に比例する大きさを有する正味屈折力を有する、請求項１４に記載のディスプレイデバイス。
【請求項１６】
ディスプレイデバイスであって、
光学経路内の一対の適応レンズアセンブリを備え、前記適応レンズアセンブリはそれぞれ、
対応する切替可能な波長板であって、前記対応する切替可能な波長板は、９０％を上回る回折効率において少なくとも４５０ｎｍ〜６３０ｎｍを含む波長範囲内の光を回折し、第１および第２の状態間で切り替え、それを通して通過する光の偏光状態を選択的に改変するように構成される、対応する切替可能な波長板
を備え、
前記適応レンズアセンブリは、反対符号を伴う屈折力を有する、ディスプレイデバイス。
【請求項１７】
前記適応レンズアセンブリはそれぞれ、前記適応レンズアセンブリの切替可能な波長板の状態に基づいて調節可能である個別の屈折力を有する、請求項１６に記載のディスプレイデバイス。
【請求項１８】
コントローラをさらに備え、前記コントローラは、前記一対の適応レンズアセンブリの正味屈折力がほぼ一定値のままであるように、前記一対の適応レンズアセンブリの第１のものの第１の屈折力が、第１の値であるとき、前記一対の適応レンズアセンブリの第２のものの第２の屈折力が、対応して第２の値に調節されるように構成される、請求項１７に記載のディスプレイデバイス。
【請求項１９】
前記一定値は、約０ｍ−１である、請求項１８に記載のディスプレイデバイス。
【請求項２０】
前記適応レンズアセンブリはそれぞれ、前記レンズアセンブリの前記対応する切替可能な波長板によって介在される第１および第２の波長板レンズを備え、
前記波長板レンズはそれぞれ、それを通して通過する光の偏光状態を改変するように構成される、請求項１６に記載のディスプレイデバイス。
【請求項２１】
前記ディスプレイデバイスは、前記一対の適応レンズアセンブリ間に介在される導波管アセンブリをさらに備え、前記導波管アセンブリは、その中を伝搬する光を前記適応レンズアセンブリのうちの１つの中に外部結合するように構成される導波管を備える、請求項１６に記載のディスプレイデバイス。
【請求項２２】
前記適応レンズアセンブリはそれぞれ、複数の波長板レンズと、複数の切替可能な波長板とを備え、前記波長板レンズおよび前記切替可能な波長板は、交互にスタックされる、請求項２１に記載のディスプレイデバイス。
【請求項２３】
前記切替可能な波長板および波長板レンズの異なるものは、異なる屈折力を有する、請求項２２に記載のディスプレイデバイス。
【手続補正２】
【補正対象書類名】明細書
【補正対象項目名】００２２
【補正方法】変更
【補正の内容】
【００２２】
これらの実施形態は全て、本明細書に開示される本発明の範囲内であるように意図される。これらおよび他の実施形態は、添付の図を参照した以下の詳細な説明から容易に当業者に明白となり、本発明は、任意の特定の開示される実施形態に限定されない。
本発明は、例えば、以下を提供する。
（項目１）
ディスプレイデバイスであって、
導波管であって、前記導波管は、光を導波管の出力表面と平行な側方方向に誘導するように構成され、前記導波管は、前記誘導された光を前記出力表面を通して外部結合するようにさらに構成される、導波管と、
広帯域適応レンズアセンブリであって、前記広帯域適応レンズアセンブリは、それを通して、前記導波管からの外部結合された光を内部結合および回折するように構成され、前記広帯域適応レンズアセンブリは、第１の波長板レンズを備え、前記第１の波長板レンズは、液晶（ＬＣ）層を備え、前記液晶（ＬＣ）層は、前記第１の波長板レンズが、第１の波長板レンズの中心領域から半径方向外向き方向に変動する複屈折（Δｎ）を有し、９０％を上回る回折効率において少なくとも４５０ｎｍ〜６３０ｎｍを含む波長範囲内の前記外部結合された光を回折するように構成されるように配列される、広帯域適応レンズアセンブリと
を備え、
前記広帯域適応レンズアセンブリは、異なる屈折力を有する複数の状態間で選択的に切り替えられるように構成される、ディスプレイデバイス。
（項目２）
前記第１の波長板レンズのΔｎは、前記波長範囲内の波長（λ）の増加に伴って増加する、項目１に記載のディスプレイデバイス。
（項目３）
前記広帯域適応レンズアセンブリは、複数の液晶層を備え、前記液晶層はそれぞれ、層法線方向に連続的に捻転される液晶分子を備える、項目１に記載のディスプレイデバイス。
（項目４）
前記外部結合された光が、偏光を有するとき、前記広帯域適応レンズアセンブリは、少なくとも２つのレンズ状態間で選択的に切り替えられるように構成され、前記少なくとも２つのレンズ状態は、
第１のレンズ状態であって、前記第１のレンズ状態は、第１の屈折力に従って前記導波管からの外部結合された光を収束または発散させ、前記外部結合された光の偏光を改変するように構成される、第１のレンズ状態と、
第２のレンズ状態であって、前記第２のレンズ状態は、前記外部結合された光の偏光を改変せずに、第２の屈折力に従って前記導波管からの外部結合された光を収束または発散させるように構成される、第２のレンズ状態と
を含む、項目１−３のいずれかに記載のディスプレイデバイス。
（項目５）
前記広帯域適応レンズアセンブリはさらに、第２の液晶層を備える第２の波長板レンズと、前記第１の波長板レンズと前記第２の波長板レンズとの間に介在される切替可能な波長板とを備え、前記広帯域適応レンズアセンブリは、前記切替可能な波長板を電気的にアクティブ化および非アクティブ化することによって、前記少なくとも２つの状態間で選択的に切り替えられるように構成される、項目４に記載のディスプレイデバイス。
（項目６）
前記切替可能な波長板は、捻転されたネマチック液晶を備え、電気的にアクティブ化することは、前記切替可能な波長板の厚さを横断して、前記捻転されたネマチック液晶の捻転度を改変する、項目５に記載のディスプレイデバイス。
（項目７）
前記切替可能な波長板が、アクティブ化されると、前記切替可能な波長板は、それを通して通過する円偏光の掌性を反転させるように構成される半波長板としての役割を果たす一方、前記切替可能な波長板が、非アクティブ化されると、前記切替可能な波長板は、それを通して通過する前記円偏光の掌性を保存するように構成される、項目５に記載のディスプレイデバイス。
（項目８）
前記第１および第２の波長板レンズはそれぞれ、それを通して通過する前記円偏光の掌性を反転させるように構成され、前記切替可能な波長板が、アクティブ化されると、前記第１および第２の波長板レンズは、反対符号を有する屈折力を付与する、項目７に記載のディスプレイデバイス。
（項目９）
前記第１および第２の波長板レンズはそれぞれ、それを通して通過する前記円偏光の掌性を反転させるように構成され、前記切替可能な波長板が、非アクティブ化されると、前記第１および第２の波長板レンズは、同一符号を有する屈折力を付与する、項目７に記載のディスプレイデバイス。
（項目１０）
前記切替可能な波長板が、非アクティブ化されると、前記広帯域適応レンズアセンブリは、前記第１および第２の波長板レンズの屈折力の大きさの和に比例する大きさを有する正味屈折力を有する一方、前記切替可能な波長板が、アクティブ化状態にあると、前記適応レンズアセンブリは、前記第１および第２の波長板レンズの屈折力の大きさ間の差異に比例する大きさを有する正味屈折力を有する、項目５に記載のディスプレイデバイス。
（項目１１）
前記第１および第２の波長板レンズは、前記切替可能な波長板が電気的にアクティブ化されると、前記正味屈折力が約ゼロであるように、ほぼ同一の大きさを有する屈折力を有する、項目１０に記載のディスプレイデバイス。
（項目１２）
前記第１の波長板レンズは、電気的に切替可能であり、前記広帯域適応レンズアセンブリはさらに、電気的に切替可能である第２の波長板レンズを含み、前記第２の波長板レンズは、第２の液晶（ＬＣ）層を備え、前記第２の液晶（ＬＣ）層は、第２の波長板レンズが、前記第２の波長板レンズの中心領域から半径方向外向き方向に変動する複屈折（Δｎ）を有し、９０％を上回る回折効率において前記波長範囲内の外部結合された光を回折するように構成されるように配列され、前記広帯域適応レンズアセンブリは、前記第１および第２の波長板レンズの一方または両方を切り替えることによって、前記少なくとも２つの状態間で選択的に切り替えられるように構成される、項目４に記載のディスプレイデバイス。
（項目１３）
アクティブ化されると、前記第１および第２の切替可能な波長板はそれぞれ、それを通して通過する円偏光の掌性を反転させるように構成される半波長板としての役割を果たす一方、非アクティブ化されると、前記第１および第２の切替可能な波長板はそれぞれ、それを通して通過する前記円偏光の掌性を保存するように構成される、項目１２に記載のディスプレイデバイス。
（項目１４）
前記第１および第２の波長板レンズはそれぞれ、それを通して通過する円偏光が反対偏光を有するとき、反対符号を有する屈折力を有するように構成される、項目１３に記載のディスプレイデバイス。
（項目１５）
前記広帯域適応レンズアセンブリは、前記第１および第２の波長板レンズの一方または両方を選択的にアクティブ化することによって、前記外部結合された光の所与の偏光に関して、前記広帯域適応レンズアセンブリが、４つの状態間で選択的に切り替えられるように構成されるように、前記第１および第２の波長板レンズの屈折力の大きさの和に比例する大きさを有する正味屈折力を有する、項目１４に記載のディスプレイデバイス。
（項目１６）
ディスプレイデバイスのための広帯域適応レンズアセンブリであって、
第１の波長板レンズであって、前記第１の波長板レンズは、ＬＣ分子を有する液晶（ＬＣ）層を備え、前記ＬＣ分子は、前記第１の波長板レンズが、第１の波長板レンズの中心領域から半径方向外向き方向に変動する複屈折（Δｎ）を有し、９０％を上回る回折効率において少なくとも４５０ｎｍ〜６３０ｎｍに及ぶ範囲内の波長内の光を回折するように構成されるように配列される、第１の波長板レンズと、
切替可能な波長板であって、前記切替可能な波長板は、電気的にアクティブ化および非アクティブ化されるように構成される、切替可能な波長板と
を備え、
前記広帯域適応レンズアセンブリは、少なくとも２つのレンズ状態間で選択的に切り替えられるように構成され、前記少なくとも２つのレンズ状態は、
第１のレンズ状態であって、前記第１のレンズ状態は、第１の屈折力に従って、第１のレンズ効果を付与し、前記広帯域適応レンズアセンブリを通して通過する光の偏光を改変するように構成される、第１のレンズ状態と、
第２のレンズ状態であって、前記第２のレンズ状態は、第２の屈折力に従って、第２のレンズ効果を付与し、前記広帯域適応レンズアセンブリを通して通過する光の偏光を保存するように構成される、第２のレンズ状態と
を含む、広帯域適応レンズアセンブリ。
（項目１７）
前記切替可能な波長板は、非アクティブ化されると、円偏光の掌性を逆転させる一方、アクティブ化されると、前記円偏光の掌性を保存するように構成される切替可能な半波長板（ＨＷＰ）である、項目１６に記載の広帯域適応レンズアセンブリ。
（項目１８）
前記切替可能なＨＷＰは、捻転されたネマチック液晶（ＴＮ  ＬＣ）スイッチを備え、前記ＴＮ  ＬＣスイッチは、切替可能なＴＮ  ＬＣ層を備え、電気的に非アクティブ化されると、線形偏光の偏光を逆転させ、電気的にアクティブ化されると、前記線形偏光の偏光を保存するように構成され、前記切替可能なＴＮ  ＬＣ層は、前記切替可能なＴＮ  ＬＣ層の層法線方向に変動する捻転角度を有する複数の伸長されたネマチックＬＣ分子を備える、項目１７に記載の広帯域適応レンズアセンブリ。
（項目１９）
前記切替可能なＴＮ  ＬＣスイッチは、上側整合層と下側整合層との間に形成される切替可能なＴＮ  ＬＣ層を備え、前記上側整合層は、前記上側整合層に直接隣接する前記伸長されたネマチックＬＣ分子の配向子を第１の側方方向に整合させるように構成され、前記下側整合層は、前記下側整合層に直接隣接する前記伸長されたネマチックＬＣ分子の配向子を前記第１の側方方向に交差する第２の側方方向に整合させるように構成される、項目１８に記載の広帯域適応レンズアセンブリ。
（項目２０）
前記上側整合層および前記下側整合層の一方または両方は、ポリイミドまたはポリアミドを含むポリマー層を備える、項目１９に記載の広帯域適応レンズアセンブリ。
（項目２１）
前記上側整合層および前記下側整合層の一方または両方は、パターン化されたナノ構造を備える、項目１９に記載の広帯域適応レンズアセンブリ。
（項目２２）
前記上側整合層および前記下側整合層の一方または両方は、前記切替可能なＴＮ  ＬＣ層を横断して電場を印加するように構成される電極または複数の電極としての役割を果たす、項目２１に記載の広帯域適応レンズアセンブリ。
（項目２３）
前記ＴＮ  ＬＣスイッチは、一対の交錯された第１および第２の電極を前記切替可能なＴＮ  ＬＣ層の片側に備え、前記ＴＮ  ＬＣスイッチは、電場を前記一対の交錯された第１および第２の電極間に印加することによって切り替えられるように構成される、項目１８に記載の広帯域適応レンズアセンブリ。
（項目２４）
前記切替可能な半波長板（ＨＷＰ）は、一対の広帯域４分の１波長板（ＱＷＰ）スタック間に介在される前記ＴＮ  ＬＣスイッチを備える、項目１８に記載の広帯域適応レンズアセンブリ。
（項目２５）
前記広帯域ＱＷＰスタックはそれぞれ、複数の直接スタックされた重合化されたＴＮ  ＬＣ層を備える、項目２４に記載の広帯域適応レンズアセンブリ。
（項目２６）
前記切替可能なＨＷＰは、一対の１つ以上の重合化されたＴＮ  ＬＣ層間に直接介在される前記切替可能なＴＮ  ＬＣ層を備え、前記切替可能なＴＮ  ＬＣ層に接触する前記重合化されたＴＮ  ＬＣ層は、前記切替可能なＴＮ  ＬＣ層の伸長されたネマチックＬＣ分子を整合させるための整合層としての役割を果たす、項目１８に記載の広帯域適応レンズアセンブリ。
（項目２７）
前記直接スタックされた重合化されたＴＮ  ＬＣ層はそれぞれ、それを横断して前記伸長されたネマチックＬＣ分子がある捻転角度によって捻転される厚さを有し、前記直接スタックされたＴＮ  ＬＣ層の隣接するものは、異なる捻転角度を有する、項目２５に記載の広帯域適応レンズアセンブリ。
（項目２８）
前記広帯域適応レンズアセンブリはさらに、第２の波長板レンズを備え、前記第２の波長板レンズは、ＬＣ分子を有する第２の液晶（ＬＣ）層を備え、前記ＬＣ分子は、前記第２の波長板レンズが、前記第２の波長板レンズの中心領域から半径方向外向き方向に変動する複屈折（Δｎ）を有し、９０％を上回る回折効率において少なくとも４５０ｎｍ〜６３０ｎｍに及ぶ範囲内の波長内の光を回折するように構成されるように配列され、前記切替可能な波長板は、前記第１の波長板レンズと前記第２の波長板レンズとの間に介在される、項目１６に記載の広帯域適応レンズアセンブリ。
（項目２９）
ディスプレイデバイスのための広帯域適応レンズアセンブリであって、
基板上に形成される液晶（ＬＣ）層を備える第１の波長板レンズであって、前記ＬＣ層は、ＬＣ分子を有し、前記ＬＣ分子は、前記第１の波長板レンズが、前記ＬＣ層の中心領域から半径方向外向き方向に変動する複屈折（Δｎ）を有し、９０％を上回る回折効率において少なくとも４５０ｎｍ〜６３０ｎｍに及ぶ波長範囲内の光を回折するように構成されるように配列され、前記基板に最も近い前記ＬＣ分子のものは、概して、前記中心領域から同一半径における異なる場所に同一配向方向を有する、第１の波長板レンズ
を備え、
前記広帯域適応レンズアセンブリは、少なくとも２つのレンズ状態間で選択的に切り替えられるように構成され、前記少なくとも２つのレンズ状態は、
第１のレンズ状態であって、前記第１のレンズ状態は、第１の屈折力に従って、第１のレンズ効果を付与し、前記広帯域適応レンズアセンブリを通して通過する光の偏光を改変するように構成される、第１のレンズ状態と、
第２のレンズ状態であって、前記第２のレンズ状態は、第２の屈折力に従って、第２のレンズ効果を付与し、前記広帯域適応レンズアセンブリを通して通過する光の偏光を保存するように構成される、第２のレンズ状態と
を含む、広帯域適応レンズアセンブリ。
（項目３０）
前記ＬＣ層は、複数の同心ゾーン内に配列され、前記同心ゾーンはそれぞれ、その中で前記基板に最も近い前記ＬＣ分子のものが、概して、同一配向方向を有する半径の範囲を有する、項目２９に記載の広帯域適応レンズアセンブリ。
（項目３１）
前記基板に最も近い前記ＬＣ分子のものは、数学的関数に従って、半径に伴って変動する方位角捻転角度を有する、項目３０に記載の広帯域適応レンズアセンブリ。
（項目３２）
前記ＬＣ層のΔｎは、前記波長範囲内の波長の増加に伴って増加する、項目２９に記載の広帯域適応レンズアセンブリ。
（項目３３）
同一同心ゾーン内の前記ＬＣ分子のものは、概して、前記ＬＣ層の異なる深度において同一捻転角度を有する、項目３２に記載の広帯域適応レンズアセンブリ。
（項目３４）
前記第１の波長板レンズは、複数のＬＣ層を備え、前記ＬＣ層はそれぞれ、層法線方向において連続的に捻転されるＬＣ分子を備える、項目２９に記載の広帯域適応レンズアセンブリ。
（項目３５）
前記ＬＣ層はそれぞれ、それを横断して前記ＬＣ分子がある捻転角度によって捻転される厚さを有し、前記ＬＣ層は、異なる捻転角度を有する、項目３４に記載の広帯域適応レンズアセンブリ。
（項目３６）
界面を形成する前記ＬＣ層の隣接するものは、反対捻転角度を有する、項目３４に記載の広帯域適応レンズアセンブリ。
（項目３７）
前記界面からほぼ同一深度における前記ＬＣ層の隣接するもののＬＣ分子は、概して、同一配向を有する、項目３６に記載の広帯域適応レンズアセンブリ。
（項目３８）
前記第１の波長板レンズは、一対の透明電極間に介在され、前記透明電極への電気信号の印加によって、電気的にアクティブ化および非アクティブ化されるように構成される、項目２９に記載の広帯域適応レンズアセンブリ。
（項目３９）
第１の屈折力（Ｐ１）を有する第１の受動波長板レンズと、第２の屈折力（Ｐ２）を有する第２の受動波長板レンズとをさらに備え、前記第１の波長板レンズは、前記第１および第２の受動波長板レンズと接触し、それらの間に介在される、項目３８に記載の広帯域適応レンズアセンブリ。
（項目４０）
前記第１の波長板レンズは、非アクティブ化されると、第３の屈折力（Ｐ３）を有し、アクティブ化されると、約ゼロ屈折力を有するように構成される、項目３９に記載の広帯域適応レンズアセンブリ。
（項目４１）
前記第１および第２の受動波長板レンズはそれぞれ、半波長板であり、前記第１の波長板レンズは、非アクティブ化されると、半波長板であるように構成される、項目４０に記載の広帯域適応レンズアセンブリ。
（項目４２）
前記第１および第２の受動波長板レンズおよび前記第１の波長板レンズは、単一スタックの中に統合される、項目２９に記載の広帯域適応レンズアセンブリ。
（項目４３）
ディスプレイのための統合された広帯域適応レンズアセンブリであって、
第１の電極と、第２の電極と、前記第１の電極と前記第２の電極との間に介在される液晶（ＬＣ）層スタックと
を備え、
前記ＬＣ層スタックは、
切替可能な液晶（ＬＣ）層であって、前記切替可能な液晶（ＬＣ）層は、それぞれが重合化されたＬＣ分子を備える第１および第２の重合化されたＬＣ層間に介在される重合化されていないＬＣ分子を備える、切替可能な液晶（ＬＣ）層
を備え、
前記第１の重合化されたＬＣ層内のＬＣ分子に隣接する前記切替可能なＬＣ層内のＬＣ分子は、概して、第１の方向に伸長され、
前記第２の重合化されたＬＣ層内のＬＣ分子に隣接する前記切替可能なＬＣ層内のＬＣ分子は、概して、前記第１の方向と交差する第２の方向に伸長され、
前記切替可能なＬＣ層は、ＬＣ分子を備え、前記ＬＣ分子は、前記第１および第２の電極を横断した第１の電圧条件下では、それを通して通過する入射光の偏光が保存される一方、前記第１および第２の電極を横断した第２の電圧条件下では、それを通して通過する入射光の偏光が改変されるように構成される、統合された広帯域適応レンズアセンブリ。
（項目４４）
前記切替可能なＬＣ層は、前記第１および第２の重合化されたＬＣ層のうちの少なくとも１つに接触する、項目４３に記載の統合された広帯域適応レンズアセンブリ。
（項目４５）
前記切替可能なＬＣ層は、捻転されたネマチックＬＣ分子を備え、前記捻転されたネマチックＬＣ分子は、前記第２の電圧条件下、前記切替可能なＬＣ層が、第１の偏光方向を有する線形偏光を前記第１の方向と垂直な第２の偏光方向を有する線形偏光に変換するように、約９０度における正味捻転角度を有する、項目４４に記載の統合された広帯域適応レンズアセンブリ。
（項目４６）
前記第１および第２の重合化されたＬＣ層はそれぞれ、捻転されたネマチックＬＣ分子を備え、４分の１波長板としての役割を果たす、項目４５に記載の統合された広帯域適応レンズアセンブリ。
（項目４７）
前記ＬＣ層スタックは、前記切替可能なＬＣ層の反対側に形成される複数の重合化されたＬＣ層を備え、前記重合化されたＬＣ層はそれぞれ、前記重合化されたＬＣ層の隣接するものと界面を形成し、前記重合化されたＬＣ層のそれぞれ内の界面に隣接するＬＣ分子は、概して、前記重合化されたＬＣ層の隣接するもの内の界面に隣接するＬＣ分子と同一方向に伸長される、項目４５に記載の統合された広帯域適応レンズアセンブリ。
（項目４８）
前記切替可能なＬＣ層および前記第１および第２の重合化されたＬＣ層のそれぞれのＬＣ分子は、前記ＬＣ分子の複屈折（Δｎ）が、中心領域から半径方向外向き方向に変動するように配列される、項目４４に記載の統合された広帯域適応レンズアセンブリ。
（項目４９）
前記Δｎは、少なくとも４５０ｎｍ〜６３０ｎｍを含む波長範囲内の波長（λ）の増加に伴って増加する、項目４８に記載の統合された広帯域適応レンズアセンブリ。
（項目５０）
前記ＬＣ層スタックは、それぞれが層法線方向に連続的に捻転される捻転されたネマチックＬＣ分子を備える２つの切替可能なＬＣ層を備える、項目４８に記載の統合された広帯域適応レンズアセンブリ。
（項目５１）
前記２つの切替可能なＬＣ層の捻転されたネマチックＬＣ分子は、約６０度〜８０度の正味角度によって、前記２つの切替可能なＬＣ層間に形成される界面に対して対称的に捻転される、項目５０に記載の統合された広帯域適応レンズアセンブリ。
（項目５２）
前記切替可能なＬＣ層は、前記第２の電圧条件下、前記切替可能なＬＣ層が半波長板としての役割を果たすように構成される捻転されたネマチックＬＣ分子を備える、項目４８に記載の統合された広帯域適応レンズアセンブリ。
（項目５３）
前記第１および第２の重合化されたＬＣ層はそれぞれ、捻転されたネマチックＬＣ分子を備え、半波長板としての役割を果たす、項目４８に記載の統合された広帯域適応レンズアセンブリ。
（項目５４）
ディスプレイデバイスであって、
光学経路内の一対の適応レンズアセンブリを備え、前記適応レンズアセンブリはそれぞれ、
対応する切替可能な波長板であって、前記対応する切替可能な波長板は、９０％を上回る回折効率において少なくとも４５０ｎｍ〜６３０ｎｍを含む波長範囲内の光を回折し、第１および第２の状態間で切り替え、それを通して通過する光の偏光状態を選択的に改変するように構成される、対応する切替可能な波長板
を備え、
前記適応レンズアセンブリは、反対符号を伴う屈折力を有する、ディスプレイデバイス。
（項目５５）
前記適応レンズアセンブリはそれぞれ、前記適応レンズアセンブリの切替可能な波長板の状態に基づいて調節可能である個別の屈折力を有する、項目５４に記載のディスプレイデバイス。
（項目５６）
コントローラをさらに備え、前記コントローラは、前記一対の適応レンズアセンブリの正味屈折力がほぼ一定値のままであるように、前記一対の適応レンズアセンブリの第１のものの第１の屈折力が、第１の値であるとき、前記一対の適応レンズアセンブリの第２のものの第２の屈折力が、対応して第２の値に調節されるように構成される、項目５５に記載のディスプレイデバイス。
（項目５７）
前記一定値は、約０ｍ−１である、項目５６に記載のディスプレイデバイス。
（項目５８）
前記適応レンズアセンブリはそれぞれ、前記レンズアセンブリの対応する切替可能な波長板によって介在される第１および第２の波長板レンズを備え、
前記波長板レンズはそれぞれ、それを通して通過する光の偏光状態を改変するように構成される、項目５４に記載のディスプレイデバイス。
（項目５９）
前記ディスプレイデバイスはさらに、前記一対の適応レンズアセンブリ間に介在される導波管アセンブリを備え、前記導波管アセンブリは、その中を伝搬する光を前記適応レンズアセンブリのうちの１つの中に外部結合するように構成される導波管を備える、項目５４に記載のディスプレイデバイス。
（項目６０）
前記適応レンズアセンブリはそれぞれ、複数の波長板レンズと、複数の切替可能な波長板とを備え、前記波長板レンズおよび前記切替可能な波長板は、交互にスタックされる、項目５９に記載のディスプレイデバイス。
（項目６１）
前記切替可能な波長板および波長板レンズの異なるものは、異なる屈折力を有する、項目６０に記載のディスプレイデバイス。
（項目６２）
適応レンズアセンブリであって、
光学経路内に整合される１つ以上の波長板レンズおよび１つ以上の切替可能な波長板
を備え、
前記１つ以上の波長板レンズはそれぞれ、９０％を上回る回折効率において少なくとも４５０ｎｍ〜６３０ｎｍを含む波長範囲内の外部結合された光を回折し、それを通して通過する光の偏光状態を改変し、第１の偏光を有する光のための第１の屈折力を提供し、第２の偏光を有する光のための第２の屈折力を提供するように構成され、
前記１つ以上の切替可能な波長板はそれぞれ、９０％を上回る回折効率において少なくとも４５０ｎｍ〜６３０ｎｍを含む波長範囲内の前記外部結合された光を回折するように構成され、
第１の状態であって、前記第１の状態は、前記光の偏光状態を改変せずに、前記光をそれを通して通過させるように構成される、第１の状態と、
第２の状態であって、前記第２の状態は、それを通して通過する前記光の偏光状態を改変するように構成される、第２の状態と
の間で選択的に切替可能である、適応レンズアセンブリ。
（項目６３）
前記波長板レンズおよび前記切替可能な波長板の一方または両方は、液晶を備える、項目６２に記載の適応レンズアセンブリ。
（項目６４）
前記第２の状態における前記１つ以上の切替可能な波長板はそれぞれ、円偏光の掌性を反転させるように構成される半波長板である、項目６２に記載の適応レンズアセンブリ。
（項目６５）
前記切替可能な波長板はそれぞれ、一対の前記１つ以上の波長板レンズ間に介在される、項目６２に記載の適応レンズアセンブリ。
（項目６６）
前記適応レンズアセンブリは、複数の前記波長板レンズと、複数の前記切替可能な波長板とを備え、前記波長板レンズおよび前記切替可能な波長板は、交互にスタックされる、項目６５に記載の適応レンズアセンブリ。
（項目６７）
ウェアラブル拡張現実頭部搭載可能ディスプレイシステムであって、
光変調システムであって、前記光変調システムは、光を出力し、画像を形成するように構成される、光変調システムと、
頭部搭載可能フレームと、
１つ以上の導波管であって、前記１つ以上の導波管は、前記フレームに取り付けられ、前記光変調システムからの光を受け取るように構成される、１つ以上の導波管と、
一対の適応レンズアセンブリであって、前記１つ以上の導波管は、前記適応レンズアセンブリ間に配置され、前記適応レンズアセンブリのそれぞれは、
１つ以上の波長板レンズであって、前記１つ以上の波長板レンズは、９０％を上回る回折効率において少なくとも４５０ｎｍ〜６３０ｎｍを含む波長範囲内の外部結合された光を回折し、第１の偏光を有する光のための第１の屈折力を提供し、第２の偏光を有する光のための第２の屈折力を提供するように構成される、１つ以上の波長板レンズと、
光学経路内の１つ以上の切替可能な波長板であって、前記１つ以上の切替可能な波長板のそれぞれは、９０％を上回る回折効率において少なくとも４５０ｎｍ〜６３０ｎｍを含む波長範囲内の前記外部結合された光を回折し、それを通して通過する光の偏光状態を選択的に改変するように構成される、１つ以上の切替可能な波長板と
を備え、前記適応レンズアセンブリは、個別の電気信号の印加に応じて調節可能である個別の屈折力を提供するように構成される、一対の適応レンズアセンブリと
を備える、ウェアラブル拡張現実頭部搭載可能ディスプレイシステム。
（項目６８）
広帯域適応レンズアセンブリを統合する方法であって、
下側スタックを形成することであって、
第１の電極層を第１の基板上に形成することと、
第１の整合層を前記第１の電極層上に形成することと、
第１の重合化されたＬＣ層を前記第１の整合層上に形成することと
を含む、ことと、
上側スタックを形成することであって、
第２の電極層を第２の基板上に形成することと、
第２の整合層を前記第２の電極上に形成することと、
第２の重合化されたＬＣ層を前記第２の整合層上に形成することと
を含む、ことと、
前記下側および上側スタックを形成後、前記第１および第２の重合化されたＬＣ層が相互に面するように、前記上側スタックおよび前記下側スタックをスタックすることであって、スタックすることは、スペーサを形成し、間隙を前記上側および下側スタック間に作成することを含む、ことと、
前記間隙を重合化されていないＬＣ分子で充填し、切替可能な液晶（ＬＣ）層を形成することと
を含み、
前記切替可能なＬＣ層を形成することは、前記第１の重合化されたＬＣ層内のＬＣ分子に隣接する前記切替可能なＬＣ層内のＬＣ分子を、概して、第１の方向に伸長されるように自己整合させることと、前記第２の重合化されたＬＣ層内のＬＣ分子に隣接する前記切替可能なＬＣ層内のＬＣ分子を、概して、前記第１の方向に交差する第２の方向に伸長されるように自己整合させることとを含む、方法。
（項目６９）
前記切替可能なＬＣ層を形成することは、前記第１および第２の電極層を横断した第１の電圧条件下、それを通して通過する入射光の偏光が保存される一方、前記第１および第２の電極を横断した第２の電圧条件下、それを通して通過する前記入射光の偏光が改変されるように、前記切替可能なＬＣ層のＬＣ分子を構成することを含む、項目６８に記載の方法。
（項目７０）
前記切替可能なＬＣ層は、前記第１および第２の重合化されたＬＣ層のうちの少なくとも１つに接触する、項目６９に記載の方法。
（項目７１）
前記切替可能なＬＣ層内のＬＣ分子を自己整合させることは、前記第２の電圧条件下、前記切替可能なＬＣ層が、第１の偏光方向を有する線形偏光を前記第１の方向と垂直な第２の偏光方向を有する線形偏光に変換するように、約９０度における正味捻転角度を有する捻転されたネマチックＬＣ分子を形成することを含む、項目７０に記載の方法。
（項目７２）
前記第１および第２の重合化されたＬＣ層はそれぞれ、捻転されたネマチックＬＣ分子を備え、４分の１波長板としての役割を果たす、項目７０に記載の方法。
（項目７３）
前記下側スタックを形成することおよび前記上側スタックを形成することはそれぞれ、複数の重合化されたＬＣ層を形成することを含み、前記重合化されたＬＣ層はそれぞれ、前記重合化されたＬＣ層の隣接するものと界面を形成し、前記重合化されたＬＣ層のそれぞれ内の界面に隣接するＬＣ分子は、概して、前記重合化されたＬＣ層の隣接するものの界面に隣接するＬＣ分子と同一方向に伸長される、項目７０に記載の方法。
（項目７４）
前記切替可能なＬＣ層および前記第１および第２の重合化されたＬＣ層のそれぞれのＬＣ分子は、前記ＬＣ分子の複屈折（Δｎ）が、前記切替可能なＬＣ層および前記第１および第２の重合化されたＬＣ層のそれぞれ内の中心領域から半径方向外向き方向に変動するように配列される、項目７０に記載の方法。
（項目７５）
前記Δｎは、少なくとも４５０ｎｍ〜６３０ｎｍを含む波長範囲内の波長（λ）の増加に伴って増加する、項目７４に記載の方法。
（項目７６）
前記ＬＣ層スタックは、それぞれが層法線方向に連続的に捻転される捻転されたネマチックＬＣ分子を備える２つの切替可能なＬＣ層を備える、項目７４に記載の方法。
（項目７７）
約６０度〜８０度の正味角度によって前記２つの切替可能なＬＣ層間の界面に対して対称的に捻転される２つの切替可能なＬＣ層を形成することを含む、項目７６に記載の方法。
（項目７８）
前記切替可能なＬＣ層は、前記第２の電圧条件下、前記切替可能なＬＣ層が半波長板としての役割を果たすように構成される捻転されたネマチックＬＣ分子を備える、項目７４に記載の方法。
（項目７９）
前記第１および第２の重合化されたＬＣ層はそれぞれ、捻転されたネマチックＬＣ分子を備え、半波長板としての役割を果たす、項目７４に記載の方法。
（項目８０）
広帯域波長板レンズアセンブリを加工する方法であって、
透明基板を提供することと、
整合層を前記透明基板上に形成することであって、前記整合層は、波長板レンズパターンに従って、その上に形成される液晶（ＬＣ）分子を整合させるように構成される、ことと、
ＬＣ層を前記整合層上に形成することであって、前記整合層に直接隣接する前記ＬＣ層のＬＣ分子は、前記波長板レンズパターンの中心領域から所与の半径における前記ＬＣ層のＬＣ分子が概して同一方向に整合される伸長方向を有する前記波長板レンズパターンに従って整合する、ことと
を含み、
前記ＬＣ層は、９０％を上回る回折効率において少なくとも４５０ｎｍ〜６３０ｎｍを含む波長範囲内の光を回折するように構成され、
前記広帯域適応レンズアセンブリは、異なる屈折力を有する複数の状態間で選択的に切り替えられるように構成される、方法。
（項目８１）
前記ＬＣ層を形成することは、前記ＬＣ層の複屈折（Δｎ）が、少なくとも４５０ｎｍ〜６３０ｎｍを含む波長範囲内の波長（λ）の増加に伴って増加するように、前記ＬＣ層のＬＣ分子を配列することを含む、項目８０に記載の方法。
（項目８２）
第２のＬＣ層を前記ＬＣ層上に形成することをさらに含み、前記ＬＣ層および前記第２のＬＣ層はそれぞれ、層法線方向に連続的に捻転される捻転されたネマチックＬＣ分子を備える、項目８０に記載の方法。
（項目８３）
前記ＬＣ層および前記第２のＬＣ層の捻転されたネマチックＬＣ分子は、約６０度〜８０度の正味角度によって、前記ＬＣ層および前記第２のＬＣ層によって形成される界面に対して対称的に捻転される、項目８２に記載の方法。
（項目８４）
前記整合層を形成することは、前記整合層を直交偏光を有する２つの光ビームで照明することによって、光整合層を構成することを含む、項目８０に記載の方法。
（項目８５）
前記整合層を形成することは、前記整合層をマスタレンズを通して部分的に回折される光ビームで照明することによって、光整合層を構成することを含み、前記マスタレンズは、前記波長板レンズパターンに従って配列されるＬＣ結晶を備える、項目８０に記載の方法。
（項目８６）
前記整合層を形成することは、その伸長方向が、前記ＬＣ層のＬＣ分子の伸長方向と同一の前記波長板レンズの中心領域からの半径への依存性を有するナノ構造を有するナノインプリント整合層を形成することを含む、項目８０に記載の方法。
（項目８７）
前記整合層を形成することは、複数の同心ゾーンを形成することを含み、前記ゾーンはそれぞれ、同一方向に伸長されるナノ構造を有する、項目８６に記載の方法。
（項目８８）
前記透明基板は、犠牲キャリアウエハであり、前記方法はさらに、
前記整合層と前記ＬＣ層との間に介在される剥離層を形成することと、
標的基板を前記ＬＣ層上に取り付けることと、
前記ＬＣ層を前記剥離層から分離することによって、前記ＬＣ層を前記透明基板に転写することと
を含む、項目８０に記載の方法。
（項目８９）
前記方法は、前記広帯域波長板レンズアセンブリを前記透明基板の主要表面積より小さい前記透明基板の選択された部分上に形成することを含む、項目８０に記載の方法。
（項目９０）
前記ＬＣ層を形成することは、前記ＬＣ分子を前記選択された部分にわたって選択的に堆積させることを含む、項目８９に記載の方法。
（項目９１）
前記ＬＣ層を形成することは、
重合化されていないＬＣ層を前記基板にわたってブランケット堆積させることと、
前記重合化されていないＬＣ層の一部を重合化されないまま残しながら、前記重合化されていないＬＣ層を前記選択された部分にわたって選択的に暴露し、重合化されたＬＣ層を形成することと、
前記重合化されていないＬＣ層の一部を除去することと
を含む、項目８９に記載の方法。
（項目９２）
前記整合層を形成することは、整合層を前記透明基板にわたってブランケット堆積させ、前記ＬＣ分子を前記選択された面積にわたって選択的に構成し、その上に形成される前記ＬＣ層のＬＣ分子を前記波長板パターンに従って整合させることを含み、前記ＬＣ層を形成することは、重合化されていないＬＣ層を前記基板にわたってブランケット堆積させることを含む、項目８９に記載の方法。
（項目９３）
前記整合層を形成することは、パターン化されたナノ構造を前記選択された面積にわたって形成し、その上に形成される前記ＬＣ層のＬＣ分子を前記波長板パターンに従って整合させることを含み、前記ＬＣ層を形成することは、重合化されていないＬＣ層を前記基板にわたってブランケット堆積させることを含む、項目８９に記載の方法。
（項目９４）
頭部搭載型ディスプレイシステムであって、前記頭部搭載型ディスプレイシステムは、光をユーザの眼に投影し、拡張現実画像コンテンツを前記ユーザの視野内に表示するように構成され、前記頭部搭載型ディスプレイシステムは、
前記ユーザの頭部上に支持されるように構成されるフレームと、
前記フレーム上に配置される接眼レンズであって、前記接眼レンズの少なくとも一部は、透明であり、前記ユーザが前記頭部搭載型ディスプレイを装着すると、前記透明部分が、前記ユーザの正面の環境からの光をユーザの眼に透過させ、前記ユーザの正面の環境のビューを提供するように、前記ユーザの眼の正面の場所に配置され、前記接眼レンズは、光を前記ユーザの眼の中に放出し、拡張現実画像コンテンツをユーザの視野に表示するように構成される、接眼レンズと、
少なくとも１つの切替可能なレンズアセンブリであって、前記少なくとも１つの切替可能なレンズアセンブリは、回折液晶レンズアセンブリを備え、前記回折液晶レンズアセンブリは、捻転されたネマチック切替可能なレンズを備え、前記捻転されたネマチック切替可能なレンズは、
捻転されたネマチック液晶の活性層と、
前記捻転されたネマチック液晶の活性層に隣接する重合化された液晶の第１の層と、
前記捻転されたネマチック液晶の活性層に隣接する重合化された液晶の第２の層であって、前記捻転されたネマチック液晶の活性層は、重合化された液晶の前記第１および第２の層間に配置される、第２の層と、
電場を前記捻転されたネマチック液晶の活性層に印加するように配置される第１および第２の電極であって、前記第１および第２の電極は、前記活性層および重合化された液晶の前記第１および第２の層が前記第１および第２の電極間に配置されるように、前記活性層および重合化された液晶の前記第１および第２の層の反対側にある、第１および第２の電極と
を備える、少なくとも１つの切替可能なレンズアセンブリと、
電子機器であって、前記電子機器は、電気信号を前記電極に印加することによって、前記切替可能なレンズの屈折力を変動させるように構成される、電子機器と
を備え、
前記少なくとも１つの切替可能なレンズアセンブリは、前記ユーザの正面の環境からの光をユーザの眼に透過させるように構成される、頭部搭載型ディスプレイシステム。
（項目９５）
前記活性層は、回折レンズを備える、項目９４に記載のディスプレイデバイス。
（項目９６）
重合化された液晶の前記第１および第２の層は、回折レンズを備える、項目９４または９５のいずれかに記載のディスプレイデバイス。
（項目９７）
重合化された液晶の前記第１および第２の層は、前記活性液晶層のための整合層である、項目９４−９６のいずれかに記載のディスプレイデバイス。
（項目９８）
第１および第２の整合層をさらに備え、前記第１および第２の整合層は、それぞれ、重合化された液晶の第１および第２の層に隣接して配置され、重合化された液晶の前記第１および第２の層の個別の側の前記第１および第２の整合層は、前記活性層と反対にある、項目９４−９７のいずれかに記載のディスプレイデバイス。
（項目９９）
少なくとも前記第１の電極は、互いに組み合わされた電極を備える、項目９４−９８のいずれかに記載のディスプレイデバイス。
（項目１００）
前記少なくとも１つの切替可能なレンズアセンブリは、前記ユーザの眼の中に指向される光を透過させ、拡張現実画像コンテンツをユーザの視野に表示するように構成される、項目９４−９９のいずれかに記載のディスプレイデバイス。
（項目１０１）
前記少なくとも１つの切替可能なレンズアセンブリは、２つの切替可能なレンズアセンブリを備え、１つは、前記ユーザの眼の中に指向される光を透過させ、拡張現実画像コンテンツをユーザの視野に表示するように配置され、両方とも、前記ユーザの正面の環境からの光をユーザの眼に透過させるように構成される、項目９４−１００のいずれかに記載のディスプレイデバイス。
（項目１０２）
頭部搭載型ディスプレイシステムであって、前記頭部搭載型ディスプレイシステムは、光をユーザの眼に投影し、拡張現実画像コンテンツを前記ユーザの視野内に表示するように構成され、前記頭部搭載型ディスプレイシステムは、
前記ユーザの頭部上に支持されるように構成されるフレームと、
前記フレーム上に配置される接眼レンズであって、前記接眼レンズの少なくとも一部は、透明であり、前記ユーザが前記頭部搭載型ディスプレイを装着すると、前記透明部分が、前記ユーザの正面の環境からの光をユーザの眼に透過させ、前記ユーザの正面の環境のビューを提供するように、前記ユーザの眼の正面の場所に配置され、前記接眼レンズは、光を前記ユーザの眼の中に放出し、拡張現実画像コンテンツをユーザの視野に表示するように構成される、接眼レンズと、
回折液晶レンズアセンブリを備える少なくとも１つの切替可能なレンズアセンブリであって、前記回折液晶レンズアセンブリは、
捻転されたネマチック液晶回折レンズを備える活性層と、
重合化された液晶を前記活性層の反対側に備える第１および第２のリターダと、
電場を前記捻転されたネマチック液晶の活性層に印加するように配置される第１および第２の電極であって、前記第１および第２の電極は、前記活性層の反対側にある、第１および第２の電極と
を備える、少なくとも１つの切替可能なレンズアセンブリと、
電子機器であって、前記電子機器は、電気信号を前記電極に印加することによって、前記切替可能なレンズの屈折力を変動させるように構成される、電子機器と
を備え、
前記少なくとも１つの切替可能なレンズは、前記ユーザの正面の環境からの光をユーザの眼に透過させるように構成される、頭部搭載型ディスプレイシステム。
（項目１０３）
前記捻転されたネマチック液晶の活性層の反対側の前記第１および第２のリターダは、前記捻転されたネマチック液晶の活性層に隣接する、項目１０２に記載のディスプレイデバイス。
（項目１０４）
前記第１および第２のリターダを備える重合化された液晶は、前記活性液晶層のための整合層である、項目１０２または１０３に記載のディスプレイデバイス。
（項目１０５）
前記第１および第２のリターダは、前記第１および第２の電極間に配置される、項目１０２−１０４のいずれかに記載のディスプレイデバイス。
（項目１０６）
前記第１および第２のリターダはそれぞれ、重合化された液晶を構成する第１および第２の４分の１波リターダを備える、項目１０２−１０５のいずれかに記載のディスプレイデバイス。
（項目１０７）
第１および第２の整合層をさらに備え、前記第１および第２の整合層は、それぞれ、第１および第２のリターダに隣接して配置され、前記第１および第２のリターダの個別の側の前記第１および第２の整合層は、前記活性層の反対にある、項目１０２−１０６のいずれかに記載のディスプレイデバイス。
（項目１０８）
少なくとも前記第１の電極は、互いに組み合わされた電極を備える、項目１０２−１０７のいずれかに記載のディスプレイデバイス。
（項目１０９）
前記少なくとも１つの切替可能なレンズアセンブリは、前記ユーザの眼の中に指向される光を透過させ、拡張現実画像コンテンツをユーザの視野に表示するように構成される、項目１０２−１０８のいずれかに記載のディスプレイデバイス。
（項目１１０）
前記少なくとも１つの切替可能なレンズアセンブリは、２つの切替可能なレンズアセンブリを備え、１つは、前記ユーザの眼の中に指向される光を透過させ、拡張現実画像コンテンツをユーザの視野に表示するように配置され、両方とも、前記ユーザの正面の環境からの光をユーザの眼に透過させるように構成される、項目１０２−１０９のいずれかに記載のディスプレイデバイス。
（項目１１１）
頭部搭載型ディスプレイシステムであって、前記頭部搭載型ディスプレイシステムは、光をユーザの眼に投影し、拡張現実画像コンテンツを前記ユーザの視野内に表示するように構成され、前記頭部搭載型ディスプレイシステムは、
前記ユーザの頭部上に支持されるように構成されるフレームと、
前記フレーム上に配置される接眼レンズであって、前記接眼レンズの少なくとも一部は、透明であり、前記ユーザが前記頭部搭載型ディスプレイを装着すると、前記透明部分が、前記ユーザの正面の環境からの光をユーザの眼に透過させ、前記ユーザの正面の環境のビューを提供するように、前記ユーザの眼の正面の場所に配置され、前記接眼レンズは、光を前記ユーザの眼の中に放出し、拡張現実画像コンテンツをユーザの視野に表示するように構成される、接眼レンズと、
複数の切替可能なレンズを備える少なくとも１つの切替可能なレンズアセンブリであって、前記切替可能なレンズはそれぞれ、少なくとも２つの状態を有し、前記切替可能なレンズアセンブリは、前記複数のレンズの異なる状態のための異なる屈折力を有し、前記切替可能なレンズアセンブリは、前記複数のレンズが特定の状態に設定されると、異なる波長のための異なる屈折力を有する、少なくとも１つの切替可能なレンズアセンブリと、
電子機器であって、前記電子機器は、前記切替可能なレンズと通信し、前記複数のレンズの状態を改変する、電子機器と
を備え、
前記電子機器は、前記複数の切替可能なレンズ内の異なるレンズを異なる波長のための異なる状態にさせるように構成される、頭部搭載型ディスプレイシステム。
（項目１１２）
前記複数の切替可能なレンズが、第１の状態の組み合わせに設定されると、前記レンズアセンブリは、緑色波長のための屈折力と異なる赤色波長のための屈折力を生産し、前記複数の切替可能なレンズが、第２の状態の組み合わせに設定されると、前記レンズアセンブリは、緑色波長のための屈折力と異なる赤色波長のための屈折力を生産する、項目１１１に記載の頭部搭載型ディスプレイシステム。
（項目１１３）
前記複数の切替可能なレンズが、前記第２の状態の組み合わせに設定されると、前記赤色波長のための前記屈折力は、前記複数のレンズが前記第２の状態の組み合わせに設定されるときの前記緑色波長のための前記屈折力より前記複数のレンズが前記第１の状態の組み合わせに設定されるときの前記緑色波長の屈折力に近い、項目１１２に記載の頭部搭載型ディスプレイシステム。
（項目１１４）
前記電子機器は、所与の屈折力標的のために、前記複数のレンズを前記赤色波長のための前記第２の状態および緑色波長のための前記第１の状態に設定するように構成される、項目１１３に記載の頭部搭載型ディスプレイシステム。
（項目１１５）
画像を装着者に提示するように光を装着者の眼の中に指向するように構成される拡張現実アイウェアのための接眼レンズを加工する方法であって、前記方法は、
基板を提供することと、
第１のレンズ領域を前記基板上に形成することであって、前記第１のレンズ領域は、屈折力を有する透明液晶レンズを備える、ことと、
前記基板上に、透明であり、屈折力を有していない第２の領域を提供することと
を含む、方法。
（項目１１６）
前記第１のレンズ領域は、レンズ屈折力を有していない前記第２の透明領域によって囲繞される、項目１１５に記載の方法。
（項目１１７）
前記第２のレンズ領域は、前記基板の面積の少なくとも４０％を含む、項目１１５または１１６に記載の方法。
（項目１１８）
前記第２のレンズ領域は、前記基板の面積の少なくとも３０％を含む、項目１１５または１１６に記載の方法。
（項目１１９）
前記第２のレンズ領域は、前記基板の面積の少なくとも２０％を含む、項目１１５または１１６に記載の方法。
（項目１２０）
前記第２のレンズ領域は、前記基板の面積の少なくとも１０％を含む、項目１１５または１１６に記載の方法。
（項目１２１）
液晶を前記第１のレンズ領域上に選択的に堆積させ、前記第２の透明領域上に堆積させないことを含む、項目１１５−１２０のいずれかに記載の方法。
（項目１２２）
液晶を前記基板上に堆積させることをさらに含む、項目１１５−１２１のいずれかに記載の方法。
（項目１２３）
前記液晶を前記第１のレンズ領域内で選択的に重合化させ、前記第２の透明領域内で重合化させないことをさらに含む、項目１２２に記載の方法。
（項目１２４）
重合化されていない液晶を前記第２の透明領域から除去することをさらに含む、項目１２３に記載の方法。
（項目１２５）
レンズパターンを前記第１のレンズ領域上に提供し、前記第２の透明領域上に提供しないことをさらに含む、項目１２４に記載の方法。
（項目１２６）
均一整合パターンを前記第２の透明領域上に提供することをさらに含む、項目１２５に記載の方法。
（項目１２７）
前記第２の透明領域を均一線形偏光で照明し、前記第１のレンズ領域を照明しないことをさらに含む、項目１２６に記載の方法。
（項目１２８）
液晶が、その上に堆積され、それと整合されると、屈折力を提供するであろう、レンズパターンを用いて、前記第１のレンズ領域をナノインプリントし、前記第２の透明領域をナノインプリントしないことを含む、項目１１５−１２０のいずれかに記載の方法。
（項目１２９）
液晶が、その上に堆積されると、屈折力を提供しないであろう、均一インプリントパターンを用いて、前記第２の透明領域をナノインプリントすることを含む、項目１２８に記載の方法。
（項目１３０）
液晶を前記第１のレンズ領域および前記第２の透明領域上に堆積させることをさらに含む、項目１２９に記載の方法。
（項目１３１）
異なる色の光を前記ユーザの眼の中に異なる時間に放出し、前記拡張現実画像コンテンツをユーザの視野に表示するように構成される、項目１１１に記載の頭部搭載型ディスプレイシステム。
（項目１３２）
前記電子機器は、前記異なる色の光が、前記ユーザの眼の中に放出され、前記拡張現実画像コンテンツをユーザの視野に表示すると、前記複数の切替可能なレンズ内の異なるレンズを異なる時間に異なる状態にさせるように構成される、項目１３１に記載の頭部搭載型ディスプレイシステム。
（項目１３３）
頭部搭載型ディスプレイシステムであって、前記頭部搭載型ディスプレイシステムは、光をユーザの眼に投影し、拡張現実画像コンテンツを前記ユーザの視野内に表示するように構成され、前記頭部搭載型ディスプレイシステムは、
前記ユーザの頭部上に支持されるように構成されるフレームと、
前記フレーム上に配置される接眼レンズであって、前記接眼レンズの少なくとも一部は、透明であり、前記ユーザが前記頭部搭載型ディスプレイを装着すると、前記透明部分が、前記ユーザの正面の環境からの光をユーザの眼に透過させ、前記ユーザの正面の環境のビューを提供するように、前記ユーザの眼の正面の場所に配置され、前記接眼レンズは、光を前記ユーザの眼の中に放出し、拡張現実画像コンテンツをユーザの視野に表示するように構成される、接眼レンズと、
複数の切替可能なレンズを備える少なくとも１つの切替可能なレンズアセンブリであって、前記切替可能なレンズはそれぞれ、少なくとも２つの状態を有し、前記切替可能なレンズの状態における変動は、前記複数の切替可能なレンズおよび前記少なくとも１つの切替可能なアセンブリの状態を変化させ、前記切替可能なレンズアセンブリは、前記複数の切替可能なレンズの異なる状態のための異なる屈折力を有し、前記切替可能なレンズアセンブリは、前記複数のレンズが特定の状態に設定されると、異なる波長のための異なる屈折力を有する、少なくとも１つの切替可能なレンズアセンブリと、
前記切替可能なレンズと通信し、前記複数のレンズの状態を改変する電子機器と
を備え、
前記ディスプレイデバイスは、第１の色の光を前記ユーザの眼の中に第１の時間に放出し、第２の色の光を前記ユーザの眼の中に第２の時間に放出し、拡張現実画像コンテンツをユーザの視野に表示するように構成され、
前記電子機器は、前記レンズのうちの少なくとも１つを前記第１および第２の時間において異なる状態にさせ、画像を前記第１および第２の色で提供するように構成される、頭部搭載型ディスプレイシステム。
（項目１３４）
前記複数の切替可能なレンズが、第１の状態の組み合わせに設定されると、前記レンズアセンブリは、前記第２の色のための屈折力と異なる前記第１の色のための屈折力を生産し、前記複数の切替可能なレンズが、第２の状態の組み合わせに設定されると、前記レンズアセンブリは、前記第２の色のための屈折力と異なる前記第１の色のための屈折力を生産する、項目１３３に記載のディスプレイシステム。
（項目１３５）
前記複数の切替可能なレンズが、前記第２の状態の組み合わせに設定されると、前記第１の色のための前記屈折力は、前記複数のレンズが前記第２の状態の組み合わせに設定されるときの前記第２の色のための前記屈折力より前記複数のレンズが前記第１の状態の組み合わせに設定されるときの前記第２の色の屈折力に近い、項目１３４に記載のディスプレイシステム。
（項目１３６）
前記電子機器は、所与の屈折力標的のために、前記複数のレンズを前記第１の色のための前記第２の状態および第２の波長のための前記第１の状態に設定するように構成される、項目１３５に記載のディスプレイシステム。
（項目１３７）
前記複数の切替可能なレンズが、第１の状態の組み合わせに設定されると、前記レンズアセンブリは、緑色のための屈折力と異なる赤色のための屈折力を生産し、前記複数の切替可能なレンズが、第２の状態の組み合わせに設定されると、前記レンズアセンブリは、緑色のための屈折力と異なる赤色のための屈折力を生産する、項目１３３に記載のディスプレイシステム。
（項目１３８）
前記複数の切替可能なレンズが、前記第２の状態の組み合わせに設定されると、前記赤色のための前記屈折力は、前記複数のレンズが前記第２の状態の組み合わせに設定されるときの前記緑色のための前記屈折力より前記複数のレンズが前記第１の状態の組み合わせに設定されるときの前記緑色の屈折力に近い、項目１３７に記載のディスプレイシステム。
（項目１３９）
前記電子機器は、所与の屈折力標的のために、前記複数のレンズを前記赤色波長のための前記第２の状態および緑色波長のための前記第１の状態に設定するように構成される、項目１３８に記載のディスプレイシステム。
（項目１４０）
前記電子機器は、前記レンズのうちの少なくとも１つを前記第１および第２の時間において異なる状態にさせ、同一深度から生じるかのように、画像を前記第１および第２の色で提供するように構成される、項目１３３に記載のディスプレイシステム。
（項目１４１）
前記複数の切替可能なレンズは、液晶を備える、項目１３０−１４０のいずれかに記載のディスプレイシステム。
（項目１４２）
前記複数の切替可能なレンズは、液晶（ＬＣ）層を備える波長板レンズを備える、項目１３０−１４１のいずれかに記載のディスプレイシステム。
（項目１４３）
前記電子機器は、前記レンズのうちの少なくとも１つを前記第１および第２の時間において異なる状態にさせ、前記第１および第２の時間において同一状態にある前記レンズのうちの少なくとも１つと比較して、色収差から生じる前記画像の焦点における低減された差異を伴って、画像を前記第１および第２の色で提供するように構成される、項目１３０−１４２のいずれかに記載のディスプレイシステム。